(57)【特許請求の範囲】
【請求項１】
切り離し可能な素材で形成され、所定長さごとにミシン目が設けられたロールテープ状の使い捨てメジャーであって、
幅方向一方の側には前記ミシン目を起点とし、次のミシン目を終点とする第１の目盛が印字され、
幅方向他方の側には前記第１の目盛と同間隔で前記ミシン目を起点として、前記第１の目盛の終点の数値から始まり、次のミシン目で終わる第２の目盛が印字されたことを特徴とする使い捨てメジャー。
【請求項２】
前記第１の目盛および前記第２の目盛はセンチメートル単位で印字され、前記第１の目盛の終点の数値は５０ｃｍであり、前記第２の目盛の数値は１００ｃｍであることを特徴とする請求項１に記載の使い捨てメジャー。
【請求項３】
前記第１の目盛および前記第２の目盛は５ミリメートル単位で印字され、数値はセンチメートル単位で印字され、前記第１の目盛の終点の数値は５０ｃｍであり、前記第２の目盛の数値は１００ｃｍであることを特徴とする請求項１に記載の使い捨てメジャー。
【請求項４】
所定の数値以上の範囲で印字色または地の色またはその両方を変えたことを特徴とする請求項１〜請求項３の何れか１項に記載の使い捨てメジャー。
【請求項５】
両面に前記第１の目盛および前記第２の目盛が印字されたことを特徴とする請求項１〜請求項４の何れか１項に記載の使い捨てメジャー。
【発明の詳細な説明】
【技術分野】
【０００１】
本発明は使い捨てメジャーに関し、特に被測定者の胴に巻き付け腹囲寸法を測定したのち使用済み部分を切除する使い捨てメジャーに関する。
【背景技術】
【０００２】
近年、長寿命化に伴う健康管理の必要性が重要視され、特にメタボリック症候群およびこれに起因する種々の疾病等に関する関心が高まっている。とりわけ腹囲寸法の測定は皮下脂肪量と密接な関わりがあるため、健康管理における重要な指標の一つとされており、健康診断時の測定項目としての重要性は従来に増して大きい。
【０００３】
従来、健康診断時等で腹囲を測定する際はメジャーを被測定者の胴に巻き付け、腹囲寸法を直接測定するのが通常である。しかし上記測定法においてはメジャーによる腹囲測定一回ごとにメジャーをアルコールなどで消毒する必要があり、特に被測定者の数が多い場合は作業が繁雑になり工数も増えてしまう。
【０００４】
これに対して、ベルトのバックル部分にエンコーダ（センサ）を設けたベルトを使用して被測定者の腹囲寸法を測定する方法が提案されている（例えば、特許文献１参照）。しかし上記の方法でも、測定器具の直接被測定者に接触した部位は消毒する必要があり、かつ測定器具のコストが増加する虞がある。
【０００５】
あるいは測定対象に周囲長計測用の帯を巻きつけ、デジタルカメラを用いて画像を取り込み、電子的に計測する構成が提案されている（例えば、特許文献２参照）。この方法では非接触式に被測定者の腹囲寸法を計測できるので消毒の手間を必要とせず、測定者の負担も軽減できるが、装置のサイズが大きく、やはりコストが増加する虞がある。
【特許文献１】特開２０００−１５５０３７号公報
【特許文献２】特開２００４−１４４７２７号公報
【発明の開示】
【発明が解決しようとする課題】
【０００６】
本発明は上記事実を考慮し、低コストな使い捨てメジャーを提供することを目的とする。
【課題を解決するための手段】
【０００７】
請求項１に記載の使い捨てメジャーは、切り離し可能な素材で形成され、所定長さごとにミシン目が設けられたロールテープ状の使い捨てメジャーであって、幅方向一方の側には前記ミシン目を起点とし、次のミシン目を終点とする第１の目盛が印字され、幅方向他方の側には前記第１の目盛と同間隔で前記ミシン目を起点として、前記第１の目盛の終点の数値から始まり、次のミシン目で終わる第２の目盛が印字されたことを特徴とする。
【０００８】
上記構成の発明では、ミシン目で切り離し可能なテープに目盛を印字し、第１の目盛では切り離したミシン目から計測を開始することで起点を容易に設定可能な使い捨てメジャーとすることができ、且つ次のミシン目までの目盛より大きな計測値は、第１の目盛の終点から計測を開始する第２の目盛で計測することができる。
【０００９】
請求項２に記載の使い捨てメジャーは、前記第１の目盛および前記第２の目盛はセンチメートル単位で印字され、前記第１の目盛の終点の数値は５０ｃｍであり、前記第２の目盛の数値は１００ｃｍであることを特徴とする。
【００１０】
上記構成の発明では、第１の目盛を５０ｃｍとしたことでミシン目からミシン目までの目盛をＡ３版などの版サイズに収めることができ、長尺の版を使う必要がないため低コストの使い捨てメジャーとすることができる。
【００１１】
請求項３に記載の使い捨てメジャーは、前記第１の目盛および前記第２の目盛は５ミリメートル単位で印字され、数値はセンチメートル単位で印字され、前記第１の目盛の終点の数値は５０ｃｍであり、前記第２の目盛の数値は１００ｃｍであることを特徴とする。
【００１２】
上記構成の発明では、第１の目盛を５０ｃｍとしたことでミシン目からミシン目までの目盛をＡ３版などの版サイズに収めることができ、長尺の版を使う必要がないため低コストで、第１および第２の目盛を５ｍｍ単位としたことで、１ｃｍ単位よりも正確な計測の可能な使い捨てメジャーとすることができる。
【００１３】
請求項４に記載の使い捨てメジャーは、所定の数値以上の範囲で印字色または地の色またはその両方を変えたことを特徴とする。
【００１４】
上記構成の発明では、例えば成人の腹囲を計測する際に所定の数値を超えた範囲では要注意サイズとして計測者または被計測者の注意を喚起することができる。
【００１５】
請求項５に記載の使い捨てメジャーは、両面に前記第１の目盛および前記第２の目盛が印字されたことを特徴とする。
【００１６】
上記構成の発明では、テープ状のメジャーを使用して計測する際にテープが裏返っても目盛の数値を読み取れるので使い勝手のよいメジャーとすることができる。
【発明の効果】
【００１７】
本発明は上記構成としたので、低コストな使い捨てメジャーとすることができた。
【発明を実施するための最良の形態】
【００１８】
＜装置概要＞
図１には本発明の実施形態に係る使い捨てメジャーが示されている。
【００１９】
図１に示すように、使い捨てメジャー１０はテープ状のメジャー１４が巻心１２の周りに巻き付けられ、全体としてロールテープ形状をなす使い捨てメジャーであって、専用の治具や鋏等を用いずに指で切断可能とするため紙などの素材で形成されている。
【００２０】
メジャー１４には図１のように幅方向両端に第１の目盛２０と第２の目盛２２とが印字されており、第１の目盛２０と第２の目盛２２とはメジャー１４の両面に印字されていてもよい。またメジャー１４には所定間隔ごとに大目盛１８が入り、切れやすい素材で形成されているため適当な箇所で切断可能となっている。
【００２１】
第１の目盛２０は所定間隔ごとに起点（０ｃｍ）に復帰し、第２の目盛２２は第１の目盛２０に第１の目盛２０の最大値を加えた値が印字され、両目盛は所定間隔毎に繰り返し印字されている。
【００２２】
さらにメジャー１４が特に粘着剤等を塗布しない、通常の紙テープ等で構成されている場合、使い捨てメジャー１０全体を巻心１２ごと崩れないように保持するケースまたはカバー等で保護する構造としてもよい。
【００２３】
図２、３には本発明の第１実施形態に係る使い捨てメジャーの使用法が示されている。
【００２４】
図２に示すようにメジャー１４はミシン目１６で切断された先端部１６Ａを起点として使用される。このとき、先端部１６Ａでは常に第１の目盛２０は起点（＝０ｃｍ）となり、第２の目盛２２は第１の目盛２０の最大値、すなわち本実施形態では５０ｃｍから計測開始される。
【００２５】
このとき、第１の目盛２０、第２の目盛２２の目盛間隔、および大目盛１８の間隔はｃｍ単位、あるいはｍｍ単位など任意の単位でよく、求められる測定精度に合わせて適宜選択される。
【００２６】
あるいは図２に示すように第１の目盛２０、第２の目盛２２の目盛間隔をｃｍ単位とし、第１の目盛２０、第２の目盛２２の中間に例えば５ｍｍ間隔の目盛を補助目盛２１として設けてもよい。
【００２７】
メジャー１４には５ｃｍごとに大目盛１８が設けられ、測定終了時には迅速に使い捨てメジャー１０から使用済みのメジャー１４を切り離せる構成となっている。このとき測定数値を読み取りやすくするため大目盛１８を挟んで両側に第１の目盛２０と第２の目盛２２とが印字されていてもよい。
【００２８】
メジャー１４の第１の目盛２０と第２の目盛２２とは、図２に示すようにそれぞれ５０ｃｍ／１００ｃｍの表示をもって最大値とし、再度先端部１６Ａを形成するミシン目１６で終了する。先端部１６Ａを形成するミシン目１６の先は再び第１の目盛２０が起点（＝０ｃｍ）、第２の目盛２２は５０ｃｍに戻り、再度測定数値が加算される。
【００２９】
図３に示すように本発明の実施形態に係る使い捨てメジャー１０を用いて被測定物５０の周長を測定する手順は以下の通りである。
【００３０】
すなわち被測定物５０の周囲にメジャー１４を巻き付け、先端部１６Ａが突き当たる箇所、すなわち巻心１２に近い側のメジャー１４と突き当たった測定箇所２６でメジャー１４を切断する。このとき先端部１６Ａは前述のようにミシン目１６にて切断された、第１の目盛２０が起点（＝０ｃｍ）となる箇所である必要がある。
【００３１】
測定箇所２６で切断されたメジャー１４は被測定物５０の周長と等しい長さの、第１の目盛２０と第２の目盛２２とが印字されたテープとなるので、この切断箇所（測定箇所２６）の目盛、すなわち第１の目盛２０または第２の目盛２２に示された数値が被測定物５０の周長となる。
【００３２】
ここで、先端部１６Ａから測定箇所２６までの間に先端部１６Ａ（起点：０ｃｍ、ミシン目１６）が１箇所存在すれば、測定された被測定物５０の周長は第２の目盛に示された数値となる。また、先端部１６Ａが２箇所存在すれば、測定された被測定物５０の周長は第１の目盛２０の値＋１ｍとなる。
【００３３】
さらに先端部１６Ａから測定箇所２６までの間に先端部１６Ａ（ミシン目１６）が存在しない場合は第１の目盛２０の読み値がそのまま被測定物５０の周長となる。
【００３４】
例えば測定箇所２６の読み値（切断部分の目盛数値）が第１の目盛２０が３０ｃｍ、第２の目盛２２が８０ｃｍであったとき、切断されて１本のテープ状となったメジャー１４内に先端部１６Ａ（起点：０ｃｍ、ミシン目１６）が１箇所存在すれば被測定物５０の周長は第２の目盛２２の読み値そのままで８０ｃｍであり、先端部１６が２箇所存在すれば第１の目盛２０の読み値３０ｃｍ＋１ｍで、１ｍ３０ｃｍとなる。
【００３５】
またこのとき、所定の数値以上となる範囲、例えば９０ｃｍ以上で黄色の要注意エリア２４Ａ、９５ｃｍ以上で赤の危険エリア２４Ｂなど、印字色または地の色またはその両方を変えることで被測定者に注意を促すようにしてもよい。色やパターンを分けることで男女別表示にするなど、さらに情報を追加してもよい。
＜作用効果＞
本発明は上記構成としたので、以下のような優れた効果を有する。
【００３６】
すなわち、本発明の実施形態に係る使い捨てメジャー１０は、先端部１６Ａを起点（０ｃｍ）とする第１の目盛２０、および先端部１６Ａを「５０ｃｍ」とする第２の目盛２２が印字されているので、被測定物５０の周長を測定する際には被測定物５０にメジャー１４を巻き付け、先端部１６Ａが突き当たった箇所の第１の目盛２０または第２の目盛２２を読み取れば測定値とすることができる。
【００３７】
このとき本実施形態においては第１の目盛２０は「０ｃｍ〜５０ｃｍ」スケールであり、第２の目盛２２は「５０〜１００ｃｍ」スケールとしている。これは、メジャー１４自体が巻心１２に巻き付けられたロールテープ状の形態であり、製造時には幅方向に多数並べて印刷したメジャー１４を幅方向にカッターで切断するなどの製造法が考えられるため、長さ方向における繰り返し印刷を想定する際、長第１の目盛２０（と第２の目盛２２）の長さが通常印刷に用いられている種々の版、例えばＢ４版サイズの大きさに収めるためである。
【００３８】
これによりメジャー１４の印刷時には通常用いられるサイズの版を用いて長さ方向に繰り返し印刷を行い、幅方向にカットしてロールテープ形状とすることができる。このため高価な専用の版を必要とせず、低いコストで製造が可能となる。
＜その他＞
以上、本発明の実施例について記述したが、本発明は上記の実施例に何ら限定されるものではなく、本発明の要旨を逸脱しない範囲において種々なる態様で実施し得ることは言うまでもない。
【００３９】
すなわち本実施形態ではｃｍ単位で５０ｃｍまでの目盛としたが、例えば商品の展開先に合わせてインチ単位、あるいは他の単位系でもよいし、繰り返し単位を小さくして更にコストを抑えることもできる。
【図面の簡単な説明】
【００４０】
【図１】本発明の実施形態に係る使い捨てメジャーを示す斜視図である。
【図２】本発明の実施形態に係る使い捨てメジャーを示す平面図である。
【図３】本発明の実施形態に係る使い捨てメジャーの使用法を示す斜視図である。
【符号の説明】
【００４１】
１０ 使い捨てメジャー
１２   巻心
１４   メジャー
１６   ミシン目
１６Ａ 先端部
１８   大目盛
２０   目盛
２１   補助目盛
２２   目盛
２６   測定箇所
【図１】
0004846682.tif 000002
【図２】
0004846682.tif 000003
【図３】
0004846682.tif 000004